(57)【要約】【課題】ヘアキャッチャー内の毛髪等のゴミが該ヘアキャッチャーの側周面部及び底面部に絡み付きにくく、旋回流形成時にゴミがヘアキャッチャーの中央に集まり易いと共に、清掃時にヘアキャッチャー内からゴミを容易に排出することができる浴室排水装置を提供する。【解決手段】ヘアキャッチャー３０の側周面部３２のうち、少なくとも該側周面部３２と底面部３１とが交わるコーナー部３６（側周面部３２の下端）から該側周面部３２の全高Ｈの２０％の高さまでの範囲Ｐは無孔となっている。無孔範囲Ｐの上端は、コーナー部３６から側周面部３２の高さ方向の２０％以上９８％以下、特に５０％以上９５％以下であることが好ましい。【選択図】図５
2010203167.tif 000002
【特許請求の範囲】
【請求項１】
上部から洗い場排水が流入する排水トラップと、
浴槽排水を該排水トラップに導入する浴槽排水流路と
を有する浴室排水装置であって、
該排水トラップは、洗い場排水の受入口を上部に有すると共に、該浴槽排水流路が略接線方向に接続されており、該浴槽排水流路からの浴槽排水を略接線方向に受け入れて旋回させる受入室を備えており、
該受入口を通って受入室内にヘアキャッチャーが差し込まれて装着されており、
該ヘアキャッチャーは、それぞれ複数の孔を有した側周面部と底面部とを有している浴室排水装置において、
該ヘアキャッチャーの該側周面部の下端から側周面部の高さ方向の少なくとも２０％の範囲は無孔となっていることを特徴とする浴室排水装置。
【請求項２】
請求項１において、前記ヘアキャッチャーの側周面部の下端は、側周面部の鉛直方向の接線の仰角が３０°以上であることを特徴とする浴室排水装置。
【請求項３】
請求項１又は２において、前記無孔の範囲の上端は、前記ヘアキャッチャーの側周面部の下端から側周面部の高さ方向の２０％以上９８％以下であることを特徴とする浴室排水装置。
【請求項４】
請求項１ないし３のいずれか１項において、前記側周面部の外周面の表面積に対する該側周面部の孔の合計の開口面積の割合は１〜４０％であることを特徴とする浴室排水装置。
【請求項５】
請求項１ないし４のいずれか１項において、前記側周面部の孔は、該側周面部の周方向に延在していることを特徴とする浴室排水装置。
【発明の詳細な説明】
【技術分野】
【０００１】
本発明は、浴槽排水及び洗い場排水を排水トラップに流入させて排出する浴室排水装置に係り、特に、排水トラップの受入室に浴槽排水を略接線方向に受け入れて旋回流を形成させるよう構成された浴室排水装置に関する。
【背景技術】
【０００２】
洗い場排水を受け入れる洗い場排水受入口が上部に設けられていると共に、浴槽排水を側周面から受け入れてトラップ内に旋回流を形成させるようにした排水トラップが特許第３８８６０５５号、特開２００８−８２１１５号に記載されている。このトラップの洗い場排水受入口には、上方が開放したカゴ（篭）状のヘアキャッチャーが着脱自在に装着されている。このヘアキャッチャーは、トラップ内の軸心部付近に垂下している。浴槽排水がトラップ内に流入し、トラップ内の水位が上昇して旋回流が形成されると、このヘアキャッチャーが旋回流に浸漬され、ヘアキャッチャー内の毛髪などのゴミがヘアキャッチャーの中心に集められる。これにより、ゴミを摘んで捨てることができるようになる。また、ヘアキャッチャーの内外面が旋回流に浸漬されて浄化され、ヌメリ等が除去される。
【０００３】
上記特開２００８−８２１１５号には、ヘアキャッチャーの側周面部と底面部とが交わる部分を無孔部（孔無し部）とすることが記載されている。このようにヘアキャッチャーの側周面部と底面部との交わり部分を無孔とすると、側周面部の内面に沿って流れてきた毛髪がそのまま底孔から下方へ流出することが防止される。
【先行技術文献】
【特許文献】
【０００４】
【特許文献１】特許第３８８６０５５号
【特許文献２】特開２００８−８２１１５号
【発明の概要】
【発明が解決しようとする課題】
【０００５】
上記特許文献２の浴室排水装置にあっては、ヘアキャッチャーの側周面部の下端の直近部分にも孔が設けられている。そのため、ヘアキャッチャーの側周面部の下部の孔から、ヘアキャッチャーの底部に溜まった毛髪などの一部が通り抜け易い。その孔から一部抜け出た毛髪は碇のように孔に絡み付く。また、トラップ内の渦水位が上昇してきたときに、ヘアキャッチャーの底面部の孔からだけでなく、側周面部の孔からも水がヘアキャッチャー内に侵入するため、該底面部の孔からの流入水が側周面部の孔からの流入水によって撹乱され、この底面部の孔からの流入水の水勢が弱くなり、ヘアキャッチャーの底面部に付着した毛髪が十分に引き剥がされない。そのため、旋回流により毛髪が十分にヘアキャッチャー中央に集まりにくくなると共に、清掃時にヘアキャッチャー内からゴミを容易に排出できなくなるおそれがあった。
【０００６】
本発明は、旋回流形成式排水トラップを備えた浴室排水装置において、ヘアキャッチャー内の毛髪等のゴミが該ヘアキャッチャーの側周面部及び底面部に絡み付きにくく、旋回流形成時にゴミがヘアキャッチャーの中央に集まり易いと共に、清掃時にヘアキャッチャー内からゴミを容易に排出することができる浴室排水装置を提供することを目的とする。
【課題を解決するための手段】
【０００７】
本発明（請求項１）の浴室排水装置は、上部から洗い場排水が流入する排水トラップと、浴槽排水を該排水トラップに導入する浴槽排水流路とを有する浴室排水装置であって、該排水トラップは、洗い場排水の受入口を上部に有すると共に、該浴槽排水流路が略接線方向に接続されており、該浴槽排水流路からの浴槽排水を略接線方向に受け入れて旋回させる受入室を備えており、該受入口を通って受入室内にヘアキャッチャーが差し込まれて装着されており、該ヘアキャッチャーは、それぞれ複数の孔を有した側周面部と底面部とを有している浴室排水装置において、該ヘアキャッチャーの該側周面部の下端から側周面部の高さ方向の少なくとも２０％の範囲は無孔となっていることを特徴とするものである。
【０００８】
請求項２の浴室排水装置は、請求項１において、前記ヘアキャッチャーの側周面部の下端は、側周面部の鉛直方向の接線の仰角が３０°以上であることを特徴とするものである。
【０００９】
請求項３の浴室排水装置は、請求項１又は２において、前記無孔の範囲の上端は、前記ヘアキャッチャーの側周面部の下端から側周面部の高さ方向の２０％以上９８％以下であることを特徴とするものである。
【００１０】
請求項４の浴室排水装置は、請求項１ないし３のいずれか１項において、前記側周面部の外周面の表面積に対する該側周面部の孔の合計の開口面積の割合は１〜４０％であることを特徴とするものである。
【００１１】
請求項５の浴室排水装置は、請求項１ないし４のいずれか１項において、前記側周面部の孔は、該側周面部の周方向に延在していることを特徴とするものである。
【発明の効果】
【００１２】
本発明（請求項１）の浴室排水装置にあっては、ヘアキャッチャーの側周面部の下端から少なくとも該側周面部の高さ方向の２０％までの範囲は無孔となっているので、ヘアキャッチャーの底部に溜まった毛髪などが側周面部に絡み付くことが防止される。また、受入室内の渦水位が上昇してきたときには、この渦水位が側周面部の孔の高さに達するまでは、底面部の孔からのみヘアキャッチャー内に水が流入するため、この底面部からの流入水が側周面部からの流入水に撹乱されず、底面部から強い水勢にてヘアキャッチャー内に水が流入するので、底面部に付着していた毛髪などが十分に底面部から引き剥がされる。これにより、ヘアキャッチャー内の毛髪等のゴミは、全く又は殆どヘアキャッチャーに絡み付くことなく、旋回流により良好にヘアキャッチャーの底面中央部に集められる。
【００１３】
受入室内の渦水位が側周面部の孔の高さ以上となると、この側周面部の孔さらには側周面部の上端を乗り越えてヘアキャッチャー内に水が流入し、ヘアキャッチャーが旋回流中に漬かり、この旋回流により、ヘアキャッチャー中央にゴミが集められる。なお、このとき、側周面部の孔よりヘアキャッチャー内へ、該側周面部の略接線方向にノズル状に水が流入するため、ヘアキャッチャー内に効率良く旋回流が形成される。
【００１４】
ヘアキャッチャーを掃除する場合には、ヘアキャッチャー内の毛髪等のゴミは、ヘアキャッチャーの底面部や側周面部に全く又は殆ど絡み付くことなく、該ヘアキャッチャーの底面中央部に集められているので、このゴミを容易にヘアキャッチャー外に排出することができる。
【００１５】
請求項２の通り、本発明においては、ヘアキャッチャーの側周面部の下端とは、側周面部の鉛直方向の接線の仰角が３０°以上となっている部分であることが好ましい。このように規定することにより、例えばヘアキャッチャーが略半球状など、底面部と側周面部との境界部が不明瞭な形状であるときでも、明確に無孔範囲を設定することができる。
【００１６】
請求項３の通り、この無孔範囲の上端は、ヘアキャッチャーの側周面部の下端から側周面部の高さ方向の２０％以上９８％以下であることが好ましい。これにより、浴槽からの排水量が比較的少ないときでも、ヘアキャッチャー内に十分に水を流入させて旋回流を形成することができる。
【００１７】
請求項４のように、側周面部の外周面の表面積に対する該側周面部の孔の合計の開口面積の割合を１〜４０％と制限することにより、この側周面部の孔を通る水の流速が高められるので、この側周面部の孔から強い水勢にてヘアキャッチャー内に水が流入するようになる。これにより、ヘアキャッチャー内に強力な旋回流が形成され、この旋回流によってヘアキャッチャーの中央に効果的にゴミが集められるようになる。
【００１８】
請求項５のように、側周面部の孔は、該側周面部の周方向に延在していることが好ましい。このように構成することにより、側周面部の孔は、受入室内の旋回流の旋回方向と略平行方向に延在したものとなるので、ヘアキャッチャーの周囲の旋回流が側周面部の孔を介して該ヘアキャッチャー内の水に伝わり易く、ヘアキャッチャー内に強く旋回流が形成されるようになる。
【図面の簡単な説明】
【００１９】
【図１】実施の形態に係る浴室排水装置の模式的な縦断面図である。
【図２】図１の浴室排水装置の排水トラップの斜視図である。
【図３】図２のIII−III線に沿う断面図斜視図である。
【図４】図１の浴室排水装置のヘアキャッチャーの斜視図である。
【図５】図４のＶ−Ｖ線に沿う鉛直断面図である。
【図６】別の実施の形態に係る浴室排水装置のヘアキャッチャーの斜視図である。
【図７】図２のVII−VII線に沿う鉛直断面図である。
【図８】別の実施の形態に係る浴室排水装置のヘアキャッチャーの斜視図である。
【図９】図８のIX−IX線に沿う鉛直断面図である。
【図１０】別の実施の形態に係る浴室排水装置のヘアキャッチャーの斜視図である。
【図１１】図１０のXI−XI線に沿う鉛直断面図である。
【図１２】本発明の効果を検証する実験結果を示すグラフである。
【図１３】本発明の効果を検証する実験結果を示すグラフである。
【図１４】本発明の効果を検証する実験結果を示すグラフである。
【発明を実施するための形態】
【００２０】
以下に、本発明の実施の形態を図面に基づいて説明する。
【００２１】
＜第１の実施の形態（第１図〜第５図）＞
第１図は、浴室の床部に設置された、実施の形態に係る浴室排水装置の模式的な断面図、第２図はこの浴室排水装置の排水トラップの具体的な斜視図、第３図は第２図のIII−III線に沿う断面図、第４図はヘアキャッチャーの斜視図、第５図は第４図のＶ−Ｖ線に沿う鉛直断面図である。
【００２２】
浴室１の洗い場パン２の浴槽３側に排水枡４が一体形成されている。この排水枡４に対し下側から排水トラップ１０が連結されている。排水トラップ１０は、軸心線方向を鉛直方向とした略円筒形の受入室１１を有している。
【００２３】
この受入室１１の側面の流入口１２と浴槽３の底面の排水口３ａとが接続部５を介して接続されている。この流入口１２は受入室１１に対し接線方向に水を流入させるように設けられている。
【００２４】
受入室１１の上面部には、洗い場パン２側からの排水が排水枡４を通り流入する洗い場排水受入口１３が設けられている。
【００２５】
排水枡４は洗い場パン２と一体状に凹み状に形成されている。その上面には排水目皿（図示略）が覆設されている。
【００２６】
排水枡４の底部の開口には円筒形のフランジ部材１４がパッキン（図示略）を介して内嵌状に取り付けられ、このフランジ部材１４にネジ込み方式により、排水トラップ１０の上端が取り付けられている。フランジ部材１４を通して、受入口１３内に上方から着脱可能にヘアキャッチャー３０が差し込まれている。フランジ部材１４の上端の外周側は鍔状となっており、この鍔状部が排水枡４の底面開口の縁部に上側から重なっている。
【００２７】
このヘアキャッチャー３０は、上面が開いたカゴ（篭）状である。この実施の形態では、ヘアキャッチャー３０は下方側へ向かって縮径する略逆円錐台形状を有する。このヘアキャッチャー３０の詳細については後述する。ヘアキャッチャー３０は、その下端が排水トラップ１０内の封水面Ｗよりも若干上方に位置するようにフランジ部材１４に支持されている。なお、ヘアキャッチャー３０は、排水トラップ１０内に形成される旋回流によって上方に押されても浮き上がらないようにフランジ部材１４の係止部（図示略）に係止されている。
【００２８】
第１，３図に明示の通り、受入室１１の底面の中央に流出口１６が設けられている。受入室１１の下側に流出室１７が設けられており、流出口１６は、この流出室１７に連通している。流出室１７は、受入室１１の側面に沿って立ち上がる立上室１８に連なっている。
【００２９】
この実施の形態では、立上室１８は流入口１２と反対側に設けられているが、これに限定されない。立上室１８は、受入室１１の外側面に沿って封水面Ｗよりも上方にまで立ち上がっている。この立上室１８の上部に、排水流路としての排水管接続部２０が連なっている。この排水管接続部２０に排水管２１が接続される。この排水管接続部２０の底面のレベルが封水面Ｗとなっている。
【００３０】
立上室１８内と浴室内とを連通するように通気管２２，２３が設けられている。この通気管２３はヘアキャッチャー３０と一体に上下方向に設けられている。通気管２３は、その下端が通気管２２の上端に着脱自在に嵌合している。通気管２２は、受入室１１内から、その側周壁を貫いて立上室１８内に延在している。この通気管２２の下端部は、大径筒状となっており、その底面に複数の小孔２２ａが設けられている。立上室１８内に水が流れると、通気管２２，２３を通って流水に気泡が混入する。
【００３１】
なお、通気管２２，２３が嵌合することにより、受入室１１内の旋回流がヘアキャッチャー３０に作用しても、ヘアキャッチャー３０は旋回しない。
【００３２】
第４，５図に示すように、この実施の形態では、ヘアキャッチャー３０は、略円形の底面部３１と、該底面部３１の周縁部から略上方に立ち上がる略円筒形の側周面部３２と、該底面部３１及び側周面部３３にそれぞれ複数個設けられた通水用の孔３３，３４と、該側周面部３２の上端から側方に突設された鍔部３５と、前記通気管２３等を有している。この実施の形態では、側周面部３２と底面部３１とが交わるコーナー部３６（第５図）が該側周面部３２の下端である。ヘアキャッチャー３０の装着時には、鍔部３５がフランジ部材１４の前記係止部に係合する。
【００３３】
第５図の通り、この実施の形態では、底面部３１は、中央側ほど低位となる略円錐形状となっている。側周面部３２は、上端側ほど径が大きくなるテーパ形状となっている。通気管２３は、この側周面部３２を略鉛直方向に貫通したものとなっている。
【００３４】
底面部３１の孔３３は、該底面部３１を略上下方向に貫通している。この孔３３は、底面部３１の略全体に満遍なく分布している。
【００３５】
側周面部３２の各孔３４は、この実施の形態では、側周面部３２の周方向に延在したスリット状となっている。各孔３４は、側周面部３２の前記コーナー部３６から略同高さに、該側周面部３２の周方向に所定の間隔をおいて一直線状に設けられている。この実施の形態では、該孔３４は、ヘアキャッチャー３０の中央側から外方へ向って略水平方向に側周面部３２を貫通している。
【００３６】
第５図の通り、各孔３４は、前記コーナー部３６から該側周面部３２の全高Ｈの２０％の高さよりも該側周面部３２の上端側に配置されている。なお、この側周面部３２の全高Ｈとは、該コーナー部３６から前記鍔部３５の下端までの鉛直方向の高さをいう。即ち、側周面部３２のうち、少なくともコーナー部３６から該側周面部３２の全高Ｈの２０％の高さまでの範囲Ｐは無孔となっている。この無孔範囲Ｐの上端は、コーナー部３６から側周面部３２の全高Ｈの２０％以上、特に５０％以上の高さに位置していることが好ましい。なお、コーナー部３６から側周面部３２の高さ方向の９８％よりも高位の範囲まで無孔となっていると、浴槽３からの排水量が比較的少ないときにヘアキャッチャー３０内に旋回流が十分に形成されないおそれがあるため、この無孔範囲Ｐの上端は、コーナー部３６から側周面部３２の高さ方向の２０％以上９８％以下、特に５０％以上９５％以下の高さに位置していることが好ましい。
【００３７】
側周面部３２のコーナー部３６からの全高Ｈは１０ｍｍ以上特に２０ｍｍ以上であることが好ましい。また、全高Ｈが１００ｍｍ以上になると、ヘアキャッチャー３０が極端に深いものとなるので、側周面部３２のコーナー部３６からの全高Ｈは１００ｍｍ以下特に５０ｍｍ以下であることが好ましい。
【００３８】
底面部３１の直径Ｄｂ（第５図）は４０〜９０ｍｍ特に５０〜８０ｍｍであることが好ましい。
【００３９】
側周面部３２の外周面の表面積に対する孔３４の合計の開口面積の割合は１〜４０％特に５〜１５％であることが好ましい。孔３４の合計の開口面積をこのように制限することにより、これらの孔３４を通る水の流速が高められるので、これらの孔３４から強い水勢にてヘアキャッチャー３０内に水が流入するようになる。これにより、ヘアキャッチャー３０内に強力な旋回流が形成され、この旋回流によってヘアキャッチャー３０の中央に効果的にゴミが集められるようになる。なお、側周面部３２の外周面の表面積に対する孔３４の合計の開口面積の割合を４０％よりも大きくすると、これらの孔３４を通る水の流速を高める効果が低下するため、ヘアキャッチャー３０内に形成される旋回流の水勢が弱まり、ヘアキャッチャー３０の中央に効果的にゴミを集められなくなるおそれがある。
【００４０】
なお、孔３４の配置は、この無孔範囲Ｐよりも高位に位置していれば、図示の配置に限定されない。また、孔３４の形状も、図示の形状に限定されない。
【００４１】
孔３４を側周面部３２の周方向（即ち旋回流の旋回方向と略平行方向）に延在したスリット状とすることにより、ヘアキャッチャー３０の周囲の旋回流が該ヘアキャッチャー３０内の水に伝わり易く、ヘアキャッチャー３０内に強く旋回流が形成されるようになる。この場合、側周面部３２の周方向に隣り合う孔３４，３４同士の間の支柱状の部分３４ａの本数を４〜３２本特に４〜１６本とすることにより、これらの支柱状部分３４ａによってヘアキャッチャー３０の周囲の旋回流がヘアキャッチャー３０内の水に伝わりにくくなることを抑制することができる。
【００４２】
このように構成された浴室排水装置の作動について次に説明する。
【００４３】
水を張った浴槽３の排水口３ａの排水栓を抜くと、浴槽３内の水が流入口１２から排水トラップ１０の受入室１１内に流入し、この受入室１１内に渦状の旋回流を形成する。受入室１１内の水位は次第に上昇し、ヘアキャッチャー３０あるいはさらに排水枡４が旋回流に浸水した状態となる。これにより、排水枡４の内面やヘアキャッチャー３０に付着しているゴミがこすり落とされて、毛髪等のゴミは渦の中心に集められ、ヘアキャッチャー３０の底面中央部に集められる。
【００４４】
この浴室排水装置にあっては、ヘアキャッチャー３０の側周面部３２の下端（コーナー部３６）から少なくとも該側周面部３２の全高Ｈの２０％の高さまでの範囲Ｐは無孔となっているので、ヘアキャッチャー３０の底部に溜まった毛髪などが側周面部３２に絡み付くことが防止される。また、受入室１１内の渦水位が上昇してきたときには、この渦水位が側周面部３２の孔３４の高さに達するまでは、底面部３１の孔３３からのみヘアキャッチャー３０内に水が流入するため、この底面部３１の孔３３からの流入水が側周面部３２の孔３４からの流入水によって撹乱されず、この底面部３１の孔３３から強い水勢にてヘアキャッチャー３０内に水が流入するので、底面部３１に付着していた毛髪などが十分に底面部３１から引き剥がされる。これにより、ヘアキャッチャー３０内の毛髪等のゴミは、全く又は殆どヘアキャッチャー３０に絡み付くことなく、旋回流により良好にヘアキャッチャー３０の底面中央部に集められる。
【００４５】
受入室１１内の渦水位が側周面部３２の孔３４以上となると、該孔３４さらには側周面部３２の上端を乗り越えてヘアキャッチャー３０内に水が流入し、ヘアキャッチャー３０が旋回流中に漬かる。
【００４６】
この実施の形態では、該無孔範囲Ｐの上端はヘアキャッチャー３０の側周面部３２の下端から側周面部３２の高さ方向の２０％以上９８％以下となっているので、浴槽３からの排水量が比較的少ないときでも、ヘアキャッチャー３０内に十分に水が流入して旋回流が形成される。
【００４７】
受入室１１内で旋回している水の一部は、渦の中心付近から受入室１１の底部中央の流出口１６を通って流出室１７に流れ落ち、該流出室１７、立上室１８及び排水管接続部２０を経て排水管２１へ流出する。
【００４８】
流出室１７及び立上室１８内に水が流れると、通気管２３，２２及び小孔２２ａを介して流水に気泡が混入する。これにより、排水管２１に生じる負圧が軽減される。この結果、排水トラップ１０の流出室１７及び立上室１８内の水が殆どすべて排水管２１へ吸い出されて排水トラップ１０が破封することが防止される。
【００４９】
浴槽３からすべての水が流出すると、旋回流は停止し、排水トラップ１０内には封水面Ｗのレベルの封水が残る。また、通気管２２内にも小孔２２ａから水が流入し、通気管２２内にも封水面Ｗまで封水が存在する。
【００５０】
これにより、排水管２１側と洗い場及び浴槽３側とはいずれも封水によって隔絶されることになり、排水管２１の臭気が洗い場や浴槽３へ逆流することが防止される。
【００５１】
ヘアキャッチャー３０を掃除する場合には、排水目皿を取り外し、通気管２３を摘んでヘアキャッチャー３０を取り出し、ヘアキャッチャー３０内のゴミを捨てることができる。
【００５２】
前述の通り、この浴室排水装置にあっては、ヘアキャッチャー３０内の毛髪等のゴミは、ヘアキャッチャー３０の底面部３１や側周面部３２に全く又は殆ど絡み付くことなく、該ヘアキャッチャー３０の底面中央部に集められているので、このゴミを容易にヘアキャッチャー３０外に排出することができる。
【００５３】
［実験例］
＜実験１＞  上記の浴室排水装置において、側周面部３２の下端からの無孔範囲Ｐの上端の高さを変えると、受入室１１内の旋回流によりヘアキャッチャー３０の中央部に集められる毛髪量がどのように変化するか検証する実験を行った。
【００５４】
ヘアキャッチャー３０の上端部の直径Ｄｔ（第５図）を１０５ｍｍとし、底面部３１の直径Ｄｂを６５ｍｍとし、コーナー部３６からの側周面部３２の全高Ｈを２５ｍｍとした。コーナー部３６からの無孔範囲Ｐの上端の高さを側周面部３２の全高Ｈの０％、２０％、４０％、６０％、８０％、１００％と変化させ、それぞれにおいて、ヘアキャッチャー３０内に毛髪を入れた状態で浴槽３内から１００Ｌ（リットル）の水を排出し、受入室１１内で形成された旋回流によりヘアキャッチャー３０の中央部に集められた毛髪量を計測した。結果を第１２図に示す。
【００５５】
第１２図から明らかなように、無孔範囲Ｐの上端の高さがコーナー部３６から側周面部３２の全高Ｈの２０％を超えると、ヘアキャッチャー３０の中央部に集められる毛髪量が顕著に増大する。なお、統計的に、平均的な家族構成の家庭において平均的な使用頻度にて通常の使用方法により１週間浴室を使用した場合、ヘアキャッチャー３０内に乾燥重量で２．０ｇ（グラム）前後の毛髪が溜まる。そのため、一般的に、ヘアキャッチャー３０内に２．０ｇ程度の毛髪が入っている状態で排水したときに、この毛髪の全量をヘアキャッチャー３０の中央に集められるか否かが旋回流形成式排水トラップの性能の良悪の目安とされる。
【００５６】
＜実験２＞  上記の浴室排水装置において、側周面部３２の周方向に隣り合う孔３４，３４同士の間の支柱状部分３４ａの本数を２本、４本、８本、１６本、３２本と変化させ、それぞれにおいて、コーナー部３６からの無孔範囲Ｐの上端の高さを側周面部３２の全高Ｈの８０％とし、ヘアキャッチャー３０内に毛髪を入れた状態で浴槽３内から１００Ｌ（リットル）の水を排出し、受入室１１内で形成された旋回流によりヘアキャッチャー３０の中央部に集められた毛髪量を計測した。他の緒元値は実験１と同様である。結果を第１３図に示す。
【００５７】
第１３図から明らかなように、支柱状部分３４ａの本数が４〜１６本のときに、ヘアキャッチャー３０の中央部に集められる毛髪量が顕著に多いものとなる。
【００５８】
＜実験３＞  上記の浴室排水装置において、側周面部３２の外周面の表面積に対する孔３４の合計の開口面積の割合を０％、５％、１０％、２０％、４０％、６０％と変化させ、それぞれにおいて、コーナー部３６からの無孔範囲Ｐの上端の高さを側周面部３２の全高Ｈの８０％とし、ヘアキャッチャー３０内に毛髪を入れた状態で浴槽３内から１００Ｌ（リットル）の水を排出し、受入室１１内で形成された旋回流によりヘアキャッチャー３０の中央部に集められた毛髪量を計測した。他の緒元値は実験１と同様である。結果を第１４図に示す。
【００５９】
第１４図から明らかなように、側周面部３２の外周面の表面積に対する孔３４の合計の開口面積が５〜４０％のときに、ヘアキャッチャー３０の中央部に集められる毛髪量が顕著に多いものとなる。
【００６０】
なお、側周面部３２の外周面の表面積に対する孔３４の合計の開口面積が４０％を超えると、ヘアキャッチャー３０の中央部に集められる毛髪量が著しく減少する。
【００６１】
＜第２の実施の形態（第６図及び第７図）＞
第６図は、別の実施の形態に係る浴室排水装置のヘアキャッチャーの斜視図、第７図は第６図のVII−VII線に沿う鉛直断面図である。
【００６２】
上記の第１の実施の形態のヘアキャッチャー３０においては、側周面部３２の上端近傍にのみ孔３４が設けられているが、側周面部３２の下端（コーナー部３６）から該側周面部３２の全高Ｈの２０％よりも高位の範囲内であれば、孔３４の配置はこれに限定されない。
【００６３】
第６，７図のヘアキャッチャー３０Ａにおいては、側周面部３２の周方向に延在するスリット状の孔３４が上下多段に（この実施の形態では３段。ただし、２段であっても、４段以上であってもよい。孔３４は、側周面部３２の周方向に延在するスリット状でなくてもよい。）設けられている。最下段の孔３４は、コーナー部３６から側周面部３２の全高Ｈの２０％の高さかそれよりも若干（例えば２〜５ｍｍ）高位に位置し、最上段の孔３４は、好ましくはコーナー部３６から側周面部３２の全高Ｈの９８％特に好ましくは９５％の高さよりも低位に位置している。ヘアキャッチャー３０Ａにおいては、該コーナー部３６とこの最下段の孔３４との間が無孔範囲Ｐとなっている。
【００６４】
このヘアキャッチャー３０Ａのその他の構成は、前述の第１の実施の形態におけるヘアキャッチャー３０と同様である。
【００６５】
このヘアキャッチャー３０Ａを備えた浴室排水装置にあっても、第１の実施の形態の浴室排水装置と同様の作用効果が奏される。
【００６６】
このヘアキャッチャー３０Ａにあっては、最下段の孔３４は、コーナー部３６から側周面部３２の全高Ｈの２０％の高さかそれよりも若干高位に位置しているので、浴槽３からの排水量が少なくても十分にヘアキャッチャー３０Ａ内に水が流入する。また、このヘアキャッチャー３０Ａにあっては、孔３４が上下多段に設けられているので、ヘアキャッチャー３０Ａの周囲の旋回流が十分にヘアキャッチャー３０Ａ内の水に伝わり、ヘアキャッチャー３０Ａ内に強力な旋回流が形成される。
【００６７】
＜第３の実施の形態（第８図及び第９図）＞
第８図は、別の実施の形態に係る浴室排水装置のヘアキャッチャーの斜視図、第９図は第８図のIX−IX線に沿う鉛直断面図である。
【００６８】
上記の第１及び第２の実施の形態のヘアキャッチャー３０，３０Ａにおいては、底面部３１が略平坦なものであると共に側周面部３２が略円筒状となっており、これらがコーナー部３６において略Ｌ字形に交わったものとなっているが、ヘアキャッチャーの形状はこれに限定されない。
【００６９】
第８，９図のヘアキャッチャー３０Ｂは、その底部中央付近から上端近傍まで連続して略半球面状に湾曲したものとなっている。本発明においては、このように底面部３１と側周面部３２との境界が不明瞭である略半球形状のヘアキャッチャー３０Ｂにあっては、第９図の通り、その底部中央部から上端近傍に至るまでの間で、その鉛直断面内における接線Ｓの水平方向に対する仰角θが３０°以上となる部分を底面部３１と側周面部３２との境界部とする。第９図の符号３７は、この底面部３１と側周面部３２との境界部を示している。なお、この境界部３７よりもヘアキャッチャー３０Ｂの底面中央側が底面部３１であり、それよりもヘアキャッチャー３０Ｂの上端側が側周面部３２である。この境界部３７が側周面部３２の下端となる。
【００７０】
このヘアキャッチャー３０Ｂにおいては、該境界部３７から側周面部３２の全高Ｈの２０％の高さよりも該側周面部３２の上端側に孔３４が設けられている。この実施の形態では、前述の第１の実施の形態におけるヘアキャッチャー３０と同様に、孔３４は側周面部３２の周方向に延在したスリット状であり、複数の該孔３４が側周面部３２の前記境界部３７から略同高さに、該側周面部３２の周方向に所定の間隔をおいて一直線状に設けられている。
【００７１】
このヘアキャッチャー３０Ｂのその他の構成は、前述の第１の実施の形態におけるヘアキャッチャー３０と同様である。
【００７２】
このヘアキャッチャー３０Ｂを備えた浴室排水装置にあっても、第１の実施の形態の浴室排水装置と同様の作用効果が奏される。
【００７３】
＜第４の実施の形態（第１０図及び第１１図）＞
第１０図は、別の実施の形態に係る浴室排水装置のヘアキャッチャーの斜視図、第１１図は第１０図のXI−XI線に沿う鉛直断面図である。
【００７４】
上記の第３の実施の形態のヘアキャッチャー３０Ｂにおいては、側周面部３２の上端近傍にのみ孔３４が設けられているが、側周面部３２の下端（境界部３７）から該側周面部３２の全高Ｈの２０％よりも高位の範囲内であれば、孔３４の配置はこれに限定されない。
【００７５】
第１０，１１図のヘアキャッチャー３０Ｃにおいては、前述の第２の実施の形態のヘアキャッチャー３０Ａと同様に、側周面部３２の周方向に延在するスリット状の孔３４が上下多段に（この実施の形態でも３段。ただし、２段であっても、４段以上であってもよい。孔３４は、側周面部３２の周方向に延在するスリット状でなくてもよい。）設けられている。最下段の孔３４は、境界部３７から側周面部３２の全高Ｈの２０％の高さかそれよりも若干（例えば２〜５ｍｍ）高位に位置し、最上段の孔３４は、好ましくは境界部３７から側周面部３２の全高Ｈの９８％特に好ましくは９５％の高さよりも低位に位置している。ヘアキャッチャー３０Ｃにおいても、該境界部３７とこの最下段の孔３４との間が無孔範囲Ｐとなっている。
【００７６】
このヘアキャッチャー３０Ｃのその他の構成は、前述の第３の実施の形態におけるヘアキャッチャー３０Ｂと同様である。
【００７７】
このヘアキャッチャー３０Ｃを備えた浴室排水装置にあっても、第１の実施の形態の浴室排水装置と同様の作用効果が奏される。
【００７８】
また、このヘアキャッチャー３０Ｃにあっては、最下段の孔３４は、境界部３７から側周面部３２の全高Ｈの２０％よりも若干高位に位置しているので、浴槽３からの排水量が少なくても十分にヘアキャッチャー３０Ｃ内に水が流入する。また、このヘアキャッチャー３０Ｃにあっては、孔３４が上下多段に設けられているので、ヘアキャッチャー３０Ｃの周囲の旋回流が十分にヘアキャッチャー３０Ｃ内の水に伝わり、ヘアキャッチャー３０Ｃ内に強力な旋回流が形成される。
【００７９】
上記実施の形態は本発明の一例であり、本発明は図示以外の態様をもとりうる。
【符号の説明】
【００８０】
１１  受入室
１２  流入口
１６  流出口
１８  流出室
１９  流出口部材
２０  排水管接続部
２１  排水管
２２，２３  通気管
３０，３０Ａ，３０Ｂ，３０Ｃ  ヘアキャッチャー
３１  底面部
３２  側周面部
３３  底面部の孔
３４  側周面部の孔
３６  底面部と側周面部とが交わるコーナー部
３７  底面部と側周面部との境界部
【図１】
2010203167.tif 000003
【図２】
2010203167.tif 000004
【図３】
2010203167.tif 000005
【図４】
2010203167.tif 000006
【図５】
2010203167.tif 000007
【図６】
2010203167.tif 000008
【図７】
2010203167.tif 000009
【図８】
2010203167.tif 000010
【図９】
2010203167.tif 000011
【図１０】
2010203167.tif 000012
【図１１】
2010203167.tif 000013
【図１２】
2010203167.tif 000014
【図１３】
2010203167.tif 000015
【図１４】
2010203167.tif 000016